Podtech/llm-jp-corpus-v4-ja_patent huggingface dataset:
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
端部に拡径部が設けられた拡径配管と、前記拡径配管の端部に設けられた拡径部に、先端を挿入してろう付けされる挿入配管であって、
前記挿入配管の先端部には、非酸化性ガスを注入するための開口部が形成されてなり、
前記開口部は、前記挿入配管が前記拡径配管の第１の位置まで挿入された状態では露出し、前記挿入配管が前記拡径配管の第１の位置よりも先の第２の位置まで挿入された状態では前記拡径部に覆われる位置に形成されていることを特徴とする、拡径配管と挿入配管。
【請求項２】
拡径配管の端部に設けられた拡径部に、先端を挿入してろう付けするために用いられる挿入配管であって、
前記挿入配管の先端部には、非酸化性ガスを注入するための開口部が形成されてなり、
前記開口部は、前記挿入配管が前記拡径配管の第１の位置まで挿入された状態では露出し、前記挿入配管が前記拡径配管の第１の位置よりも先の第２の位置まで挿入された状態では拡径部に覆われる位置に形成されていることを特徴とする挿入配管。
【請求項３】
前記挿入配管の先端部の端面から前記開口部の前記端面側の縁部までの距離は、前記挿入配管を前記拡径配管の第１の位置まで挿入した状態で、前記開口部から２つの配管の内部に非酸化性ガスを注入する際に、注入した非酸化性ガスが外部に漏れ出ない距離であることを特徴とする、請求項２に記載の挿入配管。
【請求項４】
前記挿入配管の先端部の端面から前記開口部の前記端面側の縁部までの距離が１．５ｍｍ以上であることを特徴とする、請求項３に記載の挿入配管。
【請求項５】
前記挿入配管は、前記拡径配管の第２の位置まで挿入してろう付けされることを特徴とする、請求項２〜４のいずれか一項に記載の挿入配管。
【請求項６】
前記挿入配管の先端部の端面から前記開口部の前記端面側の縁部までの距離は、前記拡径部の配管軸方向の長さの２分の１以下であることを特徴とする、請求項２〜５のいずれか一項に記載の挿入配管。
【請求項７】
前記挿入配管の先端部の外周面は、当前記外周面を覆う前記拡径部の内周面との間に所定の隙間が形成されるように設計されていることを特徴とする請求項２〜６のいずれか一項に記載の挿入配管。
【請求項８】
前記挿入配管の先端部に形成された前記開口部は、前記拡径部の内周面に覆われた状態でろう付けされることを特徴とする請求項２〜７のいずれか一項に記載の挿入配管。
【手続補正２】
【補正対象書類名】明細書
【補正対象項目名】発明の名称
【補正方法】変更
【補正の内容】
【発明の名称】拡径配管と挿入配管、および、挿入配管
【手続補正３】
【補正対象書類名】明細書
【補正対象項目名】０００９
【補正方法】変更
【補正の内容】
【０００９】
本発明は、開口による強度不足の問題を解消しつつ、簡便な方法で加熱箇所のみに局所的に非酸化性ガスを注入してろう付けする方法に用いられる拡径配管と挿入配管、および、挿入配管を提供することを目的とする。
【手続補正４】
【補正対象書類名】明細書
【補正対象項目名】００１０
【補正方法】変更
【補正の内容】
【００１０】
上記課題を解決する本発明によれば、端部に拡径部が設けられた拡径配管と、前記拡径配管の端部に設けられた拡径部に、先端を挿入してろう付けされる挿入配管であって、前記挿入配管の先端部には、非酸化性ガスを注入するための開口部が形成されてなり、前記開口部は、前記挿入配管が前記拡径配管の第１の位置まで挿入された状態では露出し、前記挿入配管が前記拡径配管の第１の位置よりも先の第２の位置まで挿入された状態では前記拡径部に覆われる位置に形成されていることを特徴とする、拡径配管と挿入配管が提供される。
また、本発明によれば、拡径配管の端部に設けられた拡径部に、先端を挿入してろう付けするために用いられる挿入配管であって、前記挿入配管の先端部には、非酸化性ガスを注入するための開口部が形成されてなり、前記開口部は、前記挿入配管が前記拡径配管の第１の位置まで挿入された状態では露出し、前記挿入配管が前記拡径配管の第１の位置よりも先の第２の位置まで挿入された状態では拡径部に覆われる位置に形成されていることを特徴とする挿入配管が提供される。
【手続補正５】
【補正対象書類名】明細書
【補正対象項目名】００１１
【補正方法】変更
【補正の内容】
【００１１】
本発明にあっては、配管の内部に非酸化性ガスを注入する開口部の位置が、ろう付け時には拡径部に入り込んだ状態となるので、ろう付け後に開口部が外部に露出せず、強度上の問題が解消される。
【手続補正６】
【補正対象書類名】明細書
【補正対象項目名】００１２
【補正方法】変更
【補正の内容】
【００１２】
本発明において、前記挿入配管の先端部の端面から前記開口部の前記端面側の縁部までの距離は、前記挿入配管を前記拡径配管の第１の位置まで挿入した状態で、前記開口部から２つの配管の内部に非酸化性ガスを注入する際に、注入した非酸化性ガスが外部に漏れ出ない距離であっても良い。また、前記挿入配管の先端部の端面から前記開口部の前記端面側の縁部までの距離が１．５ｍｍ以上であっても良い。また、前記挿入配管は、前記拡径配管の第２の位置まで挿入してろう付けされても良い。また、前記挿入配管の先端部の端面から前記開口部の前記端面側の縁部までの距離は、前記拡径部の配管軸方向の長さの２分の１以下であっても良い。また、前記挿入配管の先端部の外周面は、当前記外周面を覆う前記拡径部の内周面との間に所定の隙間が形成されるように設計されていても良い。また、前記挿入配管の先端部に形成された前記開口部は、前記拡径部の内周面に覆われた状態でろう付けされても良い。
【手続補正書】
【提出日】令和1年9月13日(2019.9.13)
【手続補正１】
【補正対象書類名】特許請求の範囲
【補正対象項目名】請求項７
【補正方法】変更
【補正の内容】
【請求項７】
前記複数の送信アンテナは、
前記車両の複数のタイヤが設けられるタイヤ位置にそれぞれ配されており、
前記複数のタイヤにそれぞれ設けられ、該タイヤの空気圧を検出して得られる空気圧信号を無線送信する複数の検出装置へ、各タイヤ位置に配された前記送信アンテナから信号を送信させる
請求項１から請求項６の何れか１つに記載の車載機。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
一面（１２９）を有するセンサチップ（１１０）と、前記センサチップに設けられた第１検出素子（１２１、１４４、１５０）と、前記センサチップに設けられた第２検出素子（１２２、１４５、１４６）と、を有する検出部（１１９）と、
前記検出部から入力される信号を処理する信号処理部（１２０）と、
を備え、
前記第１検出素子は、第１ハーフブリッジ回路（１２３）を構成し、検出対象（２００）から受ける磁界の変化に基づいて、前記検出対象の位置に対応した第１検出信号を出力し、
前記第２検出素子は、第２ハーフブリッジ回路（１２４）を構成し、前記検出対象から受ける磁界の変化に基づいて、前記検出対象の位置に対応した第２検出信号を出力し、
さらに、前記一面の面内における前記第１検出素子のバランスの中心が、前記一面の面内における前記第２検出素子のバランスの中心と一致しており、
前記一面において、前記第１ハーフブリッジ回路の配線パターンと、前記第２ハーフブリッジ回路の配線パターンと、が同一領域内に混在して形成されているポジションセンサ。
【請求項２】
一面（１２９）を有するセンサチップ（１１０）と、前記センサチップに設けられた第１検出素子（１２１、１４４、１５０）と、前記センサチップに設けられた第２検出素子（１２２、１４５、１４６）と、を有する検出部（１１９）と、
前記検出部から入力される信号を処理する信号処理部（１２０）と、
を備え、
前記第１検出素子は、第１ハーフブリッジ回路（１２３）を構成し、検出対象（２００）から受ける磁界の変化に基づいて、前記検出対象の位置に対応した第１検出信号を出力し、
前記第２検出素子は、第２ハーフブリッジ回路（１２４）を構成し、前記検出対象から受ける磁界の変化に基づいて、前記検出対象の位置に対応した第２検出信号を出力し、
さらに、前記一面の面内における前記第１検出素子のバランスの中心が、前記一面の面内における前記第２検出素子のバランスの中心と一致しており、
前記第１ハーフブリッジ回路及び前記第２ハーフブリッジ回路は、いずれか一方の配線パターンが前記センサチップの前記一面側に位置するように層状に設けられているポジションセンサ。
【請求項３】
前記検出対象は、車両のシフトポジションの動作に連動して移動する可動部品である請求項１または２に記載のポジションセンサ。
【手続補正２】
【補正対象書類名】明細書
【補正対象項目名】０００８
【補正方法】変更
【補正の内容】
【０００８】
上記目的を達成するため、請求項１、２に記載の発明では、一面（１２９）を有するセンサチップ（１１０）と、センサチップに設けられた第１検出素子（１２１、１４４、１５０）と、センサチップに設けられた第２検出素子（１２２、１４５、１４６）と、を有する検出部（１１９）と、検出部から入力される信号を処理する信号処理部（１２０）と、を備えている。
【手続補正３】
【補正対象書類名】明細書
【補正対象項目名】０００９
【補正方法】変更
【補正の内容】
【０００９】
第１検出素子は、第１ハーフブリッジ回路（１２３）を構成し、検出対象（２００）から受ける磁界の変化に基づいて、検出対象の位置に対応した第１検出信号を出力し、第２検出素子は、第２ハーフブリッジ回路（１２４）を構成し、検出対象から受ける磁界の変化に基づいて、検出対象の位置に対応した第２検出信号を出力する。さらに、一面の面内における第１検出素子のバランスの中心が、一面の面内における第２検出素子のバランスの中心と一致している。
請求項１に記載の発明では、一面において、第１ハーフブリッジ回路の配線パターンと、第２ハーフブリッジ回路の配線パターンと、が同一領域内に混在して形成されている。
請求項２に記載の発明では、第１ハーフブリッジ回路及び第２ハーフブリッジ回路は、いずれか一方の配線パターンがセンサチップの一面側に位置するように層状に設けられている。
【手続補正書】
【提出日】令和1年5月20日(2019.5.20)
【手続補正１】
【補正対象書類名】特許請求の範囲
【補正対象項目名】請求項１
【補正方法】変更
【補正の内容】
【請求項１】
バイアス磁界を発生させる磁石（１０６、１２０）と、前記バイアス磁界が印加される検出素子（１２４）と、を有し、磁性体で構成された検出対象（２００）の移動に伴って前記検出素子が前記検出対象から受ける磁界の変化に基づいて、前記検出対象の移動方向に沿って一方向に並んだ複数の範囲に対応すると共に位相差が異なる複数の検出信号を生成する検出部（１２２）と、
前記検出部から前記複数の検出信号を取得し、前記複数の検出信号と閾値とを比較し、前記複数の検出信号と前記閾値との大小関係の組み合わせに基づいて、前記複数の範囲のいずれかの範囲の位置として前記検出対象の位置を特定する信号処理部（１２３）と、
を備え、
前記検出対象は、前記複数の範囲に対応する複数の領域部（２０１〜２０４）を有し、
前記複数の領域部は、前記検出対象のうち前記検出部が対向する検出面（２０５）の面内で前記検出対象の移動方向に階段状に接続されて構成されており、
前記検出部は、前記検出対象の移動方向における幅が、前記複数の領域部のうちの最小の領域部の幅よりも短い幅に構成されているポジションセンサ。
【手続補正２】
【補正対象書類名】特許請求の範囲
【補正対象項目名】請求項２
【補正方法】変更
【補正の内容】
【請求項２】
磁石（２０７）を含んで構成された検出対象（２００）の移動に伴って前記検出対象から受ける磁界の変化に基づいて、前記検出対象の移動方向に沿って一方向に並んだ複数の範囲に対応すると共に位相差が異なる複数の検出信号を生成する検出部（１２２）と、
前記検出部から前記複数の検出信号を取得し、前記複数の検出信号と閾値とを比較し、前記複数の検出信号と前記閾値との大小関係の組み合わせに基づいて、前記複数の範囲のいずれかの範囲の位置として前記検出対象の位置を特定する信号処理部（１２３）と、
を備え、
前記検出対象は、前記複数の範囲に対応する複数の領域部（２０１〜２０４）を有し、
前記複数の領域部は、前記検出対象のうち前記検出部が対向する検出面（２０５）の面内で前記検出対象の移動方向に階段状に接続されて構成されており、
前記検出部は、前記検出対象の移動方向における幅が、前記複数の領域部のうちの最小の領域部の幅よりも短い幅に構成されているポジションセンサ。
【手続補正３】
【補正対象書類名】明細書
【補正対象項目名】０００９
【補正方法】変更
【補正の内容】
【０００９】
そして、検出対象は、複数の範囲に対応する複数の領域部（２０１〜２０４）を有している。さらに、複数の領域部は、検出対象のうち検出部が対向する検出面（２０５）の面内で検出対象の移動方向に階段状に接続されて構成されている。検出部は、検出対象の移動方向における幅が、複数の領域部のうちの最小の領域部の幅よりも短い幅に構成されている。
【手続補正書】
【提出日】平成31年1月4日(2019.1.4)
【手続補正１】
【補正対象書類名】明細書
【補正対象項目名】発明の名称
【補正方法】変更
【補正の内容】
【発明の名称】ファン取付部付きシート、空調衣服の服本体及び空調衣服
【手続補正２】
【補正対象書類名】明細書
【補正対象項目名】０００１
【補正方法】変更
【補正の内容】
【０００１】
本発明は、例えば空気を流通させることにより人体から出た汗を蒸発させる空気流通式マットや空調服（空調衣服）等に使用されるファンを布等のシート状部材に取り付けるためのファン取付部を有するファン取付部付きシート、空調衣服の服本体及び空調衣服に関するものである。
【手続補正３】
【補正対象書類名】明細書
【補正対象項目名】００１２
【補正方法】変更
【補正の内容】
【００１２】
本発明は上記事情に基づいてなされたものであり、シート状部材にファン取付部を容易に作製することができるファン取付部付きシート、空調衣服の服本体及び空調衣服を提供することを目的とするものである。
【手続補正４】
【補正対象書類名】明細書
【補正対象項目名】００１３
【補正方法】変更
【補正の内容】
【００１３】
上記の目的を達成するための本発明は、ファンを取り付けるためのファン取付部を備えた空調衣服の服本体であって、前記ファン取付部は、当該空調衣服の服本体の服地を形成するシート状部材に設けられた、前記ファンを通すための略円形の開口孔と、内径が前記開口孔の直径よりも小さく、外形が前記開口孔の直径よりも大きい環状に形成され、一方の面が前記開口孔の周囲における前記シート状部材の端部に固着され、内側面が露出している補強手段と、を備えることを特徴とするものである。
【手続補正５】
【補正対象書類名】明細書
【補正対象項目名】００１４
【補正方法】削除
【補正の内容】
【手続補正６】
【補正対象書類名】明細書
【補正対象項目名】００１８
【補正方法】変更
【補正の内容】
【００１８】
［第一実施形態］
まず、本発明の第一実施形態について図面を参照して説明する。図１（ａ）は本発明の第一実施形態であるファン取付部付きシートの概略表面図、図１（ｂ）はそのファン取付部付きシートの概略裏面図、図１（ｃ）はそのファン取付部付きシートのＡ−Ａ矢視方向概略部分断面図である。図２（ａ）は空気流通式マットや空調服（空調衣服）等に使用されるファンを第一実施形態のファン取付部付きシートの開口孔に差し込んだときの様子を示す概略側面図、図２（ｂ）はそのファンにおける環状の係止部材の概略側面図、図２（ｃ）はそのファンをファン取付部に取り付けたときの様子を示す概略側面図である。図３はファンがファン取付部に取り付けられている様子を示す概略部分断面図である。
【手続補正７】
【補正対象書類名】特許請求の範囲
【補正対象項目名】全文
【補正方法】変更
【補正の内容】
【特許請求の範囲】
【請求項１】
ファンを取り付けるためのファン取付部を備えた空調衣服の服本体であって、
前記ファン取付部は、
当該空調衣服の服本体の服地を形成するシート状部材に設けられた、前記ファンを通すための略円形の開口孔と、
内径が前記開口孔の直径よりも小さく、外形が前記開口孔の直径よりも大きい環状に形成され、一方の面が前記開口孔の周囲における前記シート状部材の端部に固着され、内側面が露出している補強手段と、
を備えることを特徴とする空調衣服の服本体。
【請求項２】
前記補強手段は、前記シート状部材の前記開口孔の周囲における端部に縫合されていることを特徴とする請求項１に記載の空調衣服の服本体。
【請求項３】
前記補強手段は、前記シート状部材と、二重に縫合されていることを特徴とする請求項２に記載の空調衣服の服本体。
【請求項４】
前記ファンは、筒状部とその筒状部の側面と略垂直な方向に突出するように前記筒状部に設けられた突出部とを有するファン本体と、前記筒状部の外側に差し込んで前記突出部と対向する状態で前記ファン本体に装着される係止部材とを備え、
前記ファンが取り付けられたときに、前記補強手段の裏面と前記係止部材又は前記突出部とが直接接することを特徴とする請求項１から３のいずれか一項に記載の空調衣服の服本体。
【請求項５】
前記ファンが取り付けられたときに、前記補強手段の内周側の端部のみが、前記突出部と、前記係止部材との間に挟み込まれることを特徴とする請求項４に記載の空調衣服の服本体。
【請求項６】
前記補強手段は、洗濯可能なものであって、プラスチック、樹脂含浸布、人工皮革、伸縮性のないゴムのいずれかの素材で作製されたものであることを特徴とする請求項１から５のいずれか一項に記載の空調衣服の服本体。
【請求項７】
請求項１から６のいずれか一項に記載の空調衣服の服本体を備えることを特徴とする空調衣服。
【請求項８】
ファンを取り付けるためのファン取付部付きシートであって、
前記ファンを通すための略円形の開口孔が形成されたシート状部材と、
内径が前記開口孔の直径よりも小さく、外形が前記開口孔の直径よりも大きい環状に形成され、一方の面が前記開口孔の周囲における前記シート状部材の端部に固着され、内側面が露出している補強手段と、
を備えることを特徴とするファン取付部付きシート。
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
被検体の身体情報を計測する計測部と、
前記被検体を載置する天板と、
前記身体情報に基づいて、前記天板上の着座位置を算出する演算部と、
前記演算部が算出した前記着座位置を指示する指示部と、
を備えた医用画像診断装置。
【請求項２】
前記指示部として、前記天板の長手方向に沿って配列された複数の発光体を備え、
前記指示部は、前記複数の発光体のうち、前記着座位置に対応する発光体が発光することにより前記着座位置を指示する請求項１に記載の医用画像診断装置。
【請求項３】
前記複数の発光体は、前記天板、又は、前記天板を保持する寝台本体に備えられた請求項２に記載の医用画像診断装置。
【請求項４】
前記指示部として、光の照射方向が可変である投光器を備え、
前記指示部は、前記投光器が前記着座位置に向けて光を照射することにより前記着座位置を指示する請求項１に記載の医用画像診断装置。
【請求項５】
前記投光器は、検査室の天井、又は、架台に設置された請求項４に記載の医用画像診断装置。
【請求項６】
前記指示部として、検査室の天井に、前記天板の長手方向に延設されたレール上を移動可能な投光器を備え、
前記指示部は、前記レール上の投光器の位置を調整することにより前記着座位置を指示する請求項１に記載の医用画像診断装置。
【請求項７】
前記指示部は、前記着座位置を含む前記天板上の領域を指示する請求項１乃至６のうちいずれか一項に記載の医用画像診断装置。
【請求項８】
前記指示部として、スピーカを備え、
前記天板、又は、前記天板を保持する寝台本体に、前記天板の長手方向の平行方向に複数の着座位置候補が印され、
前記指示部は、前記複数の着座位置候補のうち前記着座位置に対応する着座位置候補を通知する情報を前記スピーカから出力することにより前記着座位置を指示する請求項１に記載の医用画像診断装置。
【請求項９】
前記指示部として、表示部を備え、
前記天板、又は、前記天板を保持する寝台本体に、前記天板の長手方向の平行方向に複数の着座位置候補が印され、
前記指示部は、前記複数の着座位置候補のうち前記着座位置に対応する着座位置候補を通知する情報を前記表示部に表示することにより前記着座位置を指示する請求項１に記載の医用画像診断装置。
【請求項１０】
前記天板上に設置可能であり、外表面が高摩擦係数素材によって構成され、内部に紛体潤滑剤が封入された袋状シートと、
前記袋状シートへの空気の注入と前記袋状シートからの空気の排出が可能な吸引排出装置と、をさらに備えた請求項１乃至９のうちいずれか一項に記載の医用画像診断装置。
【請求項１１】
前記演算部は、前記身体情報と、前記被検体の撮像部位とに基づいて、前記着座位置を算出する請求項１乃至１０のうちいずれか一項に記載の医用画像診断装置。
【請求項１２】
前記演算部は、前記身体情報に基づいて、前記撮像部位と基準部位との前記天板の長手方向における距離を算出し、前記撮像部位に対応する前記天板上の位置から前記長手方向に、前記距離の分ずらした位置を前記着座位置として算出する請求項１１に記載の医用画像診断装置。
【請求項１３】
前記被検体を検知する検知部をさらに備え、
前記演算部は、前記検知部からの検知信号を受信した後で前記着座位置の算出を開始する請求項１乃至１２のうちいずれか一項に記載の医用画像診断装置。
【請求項１４】
被検体の身体情報を計測する計測部と、
前記被検体を載置する天板と、
前記被検体の撮像部位の撮像に使用するＲＦ（Radio Frequency）コイルの選択を受け付ける選択部と、
前記身体情報と、撮像に使用する前記ＲＦコイルの設置位置とに基づいて、前記天板上の着座位置を算出する演算部と、
前記演算部が算出した前記着座位置を指示する指示部と、
を備えた磁気共鳴イメージング装置。
【請求項１５】
前記演算部は、前記身体情報に基づいて、前記撮像部位と基準部位との前記天板の長手方向における距離を算出し、撮像に使用する前記ＲＦコイルの前記天板上の位置から前記長手方向に、前記距離の分ずらした位置を前記着座位置として算出する請求項１４に記載の磁気共鳴イメージング装置。
【手続補正２】
【補正対象書類名】明細書
【補正対象項目名】００３４
【補正方法】変更
【補正の内容】
【００３４】
ＲＦ送信器３３は、シーケンスコントローラ３４からの指示に基づいてＲＦパルスを生成する。生成したＲＦパルスはＷＢコイル１２に伝送され、患者に印加される。ＲＦパルスの印加によって患者からＭＲ信号が発生する。このＭＲ信号をＲＦコイル２０又はＷＢコイル１２が受信する。
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
本体枠に着脱可能な扉枠と、
前記扉枠には、遊技機が排出した遊技媒体を受ける上皿と、を備えた遊技機であって、
前記遊技機には、回転操作を可能とし、円環形状部を有する回転操作部があり、
前記回転操作部の直径は、前記上皿の前後方向の寸法よりも大きいとされており、
前記回転操作部の操作を要求する要求演出を実行可能であり、
前記回転操作部を所定の方向へ回転させたとき、当該所定の方向とは反対の回転方向への力の付与が可能である
ことを特徴とする遊技機。
【手続補正２】
【補正対象書類名】明細書
【補正対象項目名】０００７
【補正方法】変更
【補正の内容】
【０００７】
上記課題を解決するために、本願発明は、
「本体枠に着脱可能な扉枠と、
前記扉枠には、遊技機が排出した遊技媒体を受ける上皿と、を備えた遊技機であって、
前記遊技機には、回転操作を可能とし、円環形状部を有する回転操作部があり、
前記回転操作部の直径は、前記上皿の前後方向の寸法よりも大きいとされており、
前記回転操作部の操作を要求する要求演出を実行可能であり、
前記回転操作部を所定の方向へ回転させたとき、当該所定の方向とは反対の回転方向への力の付与が可能である」ことを特徴とする。
また、上記発明とは別に以下の手段を採用してもよい。
手段１：遊技機において、
「遊技が行われる遊技領域と、
該遊技領域の前方且つ下方に配置されており、前方に膨出している膨出部と、
該膨出部の上面から上方へ突出しており、遊技者が押圧操作可能な中央押圧操作部と、
該中央押圧操作部よりも低く前記膨出部の上面から上方へ突出していると共に、前記中央押圧操作部の外周を囲むように形成されており、遊技者が押圧操作可能な外周押圧操作部と、
前記遊技領域内において遊技が行われることで変化する遊技状態に応じて、少なくとも前記中央押圧操作部の押圧操作が受付けられる遊技者参加型演出を実行させる演出提示手段と、
前記遊技者参加型演出の実行に応じて、少なくとも前記中央押圧操作部の押圧操作を告知する告知手段と
を具備している」ものであることを特徴とする。
【手続補正書】
【提出日】平成31年3月5日(2019.3.5)
【手続補正１】
【補正対象書類名】特許請求の範囲
【補正対象項目名】請求項４
【補正方法】変更
【補正の内容】
【請求項４】
カセット配置部は薬剤カセットを挿入する穴であり、カセット配置部は立体的に配置されていることを特徴とする請求項１乃至３のいずれに記載の薬剤保管装置。
【手続補正２】
【補正対象書類名】特許請求の範囲
【補正対象項目名】請求項５
【補正方法】変更
【補正の内容】
【請求項５】
薬剤カセットは薬剤包装を縦姿勢で収容し、
薬剤カセットは薬剤排出口を有し、
前記排出機構は、薬剤包装を薬剤排出口側に移動させるものであって薬剤包装の下辺を挟んで薬剤排出口側に移動させる底辺側保持部と、薬剤包装の縦辺を挟んで薬剤排出口側に移動させる縦辺側保持部を有することを特徴とする請求項１乃至４のいずれかに記載の薬剤保管装置。
【手続補正書】
【提出日】平成30年11月21日(2018.11.21)
【手続補正１】
【補正対象書類名】明細書
【補正対象項目名】０００９
【補正方法】変更
【補正の内容】
【０００９】
本発明は、複数の受信装置を指向するビームを形成可能な複数の送信アンテナと、前記複数の送信アンテナから送信する送信信号に対して線形プリコーディングを行う線形プリコーダ部と、前記線形プリコーダ部からの信号に対してキャリア変調を適用する送信波形整形部とを備えた送信装置であって、前記複数の受信装置は、前記送信信号の送信先となる１つ以上の第１の受信装置と、前記第１の受信装置以外の第２の受信装置とを含み、前記送信装置は、前記送信信号に対して、前記第１の受信装置間の干渉を事前に除去するための非線形プリコーディングを実施する非線形プリコーダ部と、前記第１の受信装置へ送信するデータ系列を一次変調シンボルにマッピングして前記非線形プリコーダ部に入力する一次変調部とをさらに備え、前記線形プリコーダ部は、前記複数の受信装置のうち前記第２の受信装置における受信電力が閾値以下となるように前記複数の送信アンテナから送信される前記送信信号に対して前記線形プリコーディングを行い、前記非線形プリコーダ部から出力される前記非線形プリコーディング実施後の前記送信信号に対して、前記第２の受信装置における受信電力を前記閾値以下とするためのプリコーディング行列である線形プリコーディング行列を乗算する、ことを特徴とする送信装置である。
【手続補正２】
【補正対象書類名】特許請求の範囲
【補正対象項目名】全文
【補正方法】変更
【補正の内容】
【特許請求の範囲】
【請求項１】
複数の受信装置を指向するビームを形成可能な複数の送信アンテナと、
前記複数の送信アンテナから送信する送信信号に対して線形プリコーディングを行う線形プリコーダ部と、
前記線形プリコーダ部からの信号に対してキャリア変調を適用する送信波形整形部と
を備えた送信装置であって、
前記複数の受信装置は、
前記送信信号の送信先となる１つ以上の第１の受信装置と、
前記第１の受信装置以外の第２の受信装置と
を含み、
前記送信装置は、
前記送信信号に対して、前記第１の受信装置間の干渉を事前に除去するための非線形プリコーディングを実施する非線形プリコーダ部と、
前記第１の受信装置へ送信するデータ系列を一次変調シンボルにマッピングして前記非線形プリコーダ部に入力する一次変調部と
をさらに備え、
前記線形プリコーダ部は、前記複数の受信装置のうち前記第２の受信装置における受信電力が閾値以下となるように前記複数の送信アンテナから送信される前記送信信号に対して前記線形プリコーディングを行い、前記非線形プリコーダ部から出力される前記非線形プリコーディング実施後の前記送信信号に対して、前記第２の受信装置における受信電力を前記閾値以下とするためのプリコーディング行列である線形プリコーディング行列を乗算する、
ことを特徴とする送信装置。
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
所定の光源の発光を伴って撮影された画像を取得する取得手段と、
前記所定の光源の特性に基づいて、前記画像に適用する仮想光源を設定する設定手段と、
前記仮想光源によって前記画像に含まれる複数の被写体の少なくともいずれかの陰影状態を変更した画像を生成する生成手段と、を備え、
前記設定手段は、前記画像に含まれる、第１の被写体と第２の被写体とが前記所定の光源から異なる距離に存在する場合に、前記所定の光源による前記第１の被写体における陰影状態の変化と前記所定の光源による前記第２の被写体における陰影状態の変化との差を低減するように、前記仮想光源を設定する、
ことを特徴とする画像処理装置。
【請求項２】
前記設定手段は、前記第１の被写体における前記仮想光源による陰影状態の変化が前記差を低減するように、前記仮想光源を設定し、
前記生成手段は、前記第１の被写体の陰影状態を変更した画像を生成する、
ことを特徴とする請求項１に記載の画像処理装置。
【請求項３】
前記設定手段は、前記第１の被写体における前記仮想光源による陰影状態の変化が、前記所定の光源から前記第１の被写体までの距離と前記所定の光源から前記第２の被写体までの距離との差分に応じて変化するように、前記仮想光源を設定する、
ことを特徴とする請求項２に記載の画像処理装置。
【請求項４】
前記設定手段は、前記第１の被写体における前記仮想光源による陰影状態の変化が、前記第１の被写体における前記所定の光源による光の強度と前記第２の被写体における前記所定の光源による光の強度との差分に応じて変化するように、前記仮想光源を設定する、
ことを特徴とする請求項２又は３に記載の画像処理装置。
【請求項５】
前記設定手段は、前記第１の被写体における前記仮想光源による陰影状態の変化が、前記画像を撮影した際の絞りの状態に応じて変化するように、前記仮想光源を設定する、
ことを特徴とする請求項２から４のいずれか１項に記載の画像処理装置。
【請求項６】
前記第１の被写体における前記仮想光源による陰影状態の変化は、前記第１の被写体における前記仮想光源の反射成分である、
ことを特徴とする請求項２から５のいずれか１項に記載の画像処理装置。
【請求項７】
前記画像は、前記第２の被写体を基準として明るさを調整して撮影された画像であり、
前記生成手段は、前記所定の光源から前記第１の被写体までの距離が前記所定の光源から前記第２の被写体までの距離より近い場合、前記第１の被写体の飽和していない信号に基づいて、陰影状態を変更した画像を生成する、
ことを特徴とする請求項１から６のいずれか１項に記載の画像処理装置。
【請求項８】
前記第２の被写体は主被写体であり、前記第１の被写体は、前記主被写体と異なる被写体である、
ことを特徴とする請求項１から７のいずれか１項に記載の画像処理装置。
【請求項９】
前記所定の光源はストロボであり、前記所定の光源の特性は、光源の色に関する特性を含む、
ことを特徴とする請求項１から８のいずれか１項に記載の画像処理装置。
【請求項１０】
撮像した画像を出力する撮像素子と、
請求項１から９のいずれか１項に記載の画像処理装置と、を備える、
ことを特徴とする撮像装置。
【請求項１１】
撮影する際に発光する、前記所定の光源である発光装置を更に備える、
ことを特徴とする請求項１０に記載の撮像装置。
【請求項１２】
取得手段が、所定の光源の発光を伴って撮影された画像を取得する取得工程と、
設定手段が、前記所定の光源の特性に基づいて、前記画像に適用する仮想光源を設定する設定工程と、
生成手段が、前記仮想光源によって前記画像に含まれる複数の被写体の少なくともいずれかの陰影状態を変更した画像を生成する生成工程と、を備え、
前記設定工程では、前記画像に含まれる、第１の被写体と第２の被写体とが前記所定の光源から異なる距離に存在する場合に、前記所定の光源による前記第１の被写体における陰影状態の変化と前記所定の光源による前記第２の被写体における陰影状態の変化との差を低減するように、前記仮想光源を設定する、
ことを特徴とする画像処理装置の制御方法。
【請求項１３】
コンピュータに、請求項１２に記載の画像処理装置の制御方法の各工程を実行させるためのプログラム。
【請求項１４】
撮像素子と発光装置とを備える撮像装置の制御方法であって、
撮像素子が、前記発光装置の発光を伴って画像を撮影する撮影工程と、
設定手段が、前記発光装置の特性に基づいて、前記画像に適用する仮想光源を設定する設定工程と、
生成手段が、前記仮想光源によって前記画像に含まれる複数の被写体の少なくともいずれかの陰影状態を変更した画像を生成する生成工程と、を備え、
前記設定工程では、前記画像に含まれる、第１の被写体と第２の被写体とが前記発光装置から異なる距離に存在する場合に、前記発光装置による前記第１の被写体における陰影状態の変化と前記発光装置による前記第２の被写体における陰影状態の変化との差を低減するように、前記仮想光源を設定する、
ことを特徴とする撮像装置の制御方法。
【請求項１５】
コンピュータに、請求項１４に記載の撮像装置の制御方法の各工程を実行させるためのプログラム。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
被記録媒体に記録を行う記録手段を内部に備える装置本体を有する記録機構部と、
前記装置本体の上部において前記装置本体に対し回動軸を介して回動可能に連結され、回動することにより前記装置本体の上部を開閉する、原稿を読み取る読み取り機構部と、を備え、
前記読み取り機構部は、主走査方向に延設されるとともに、前記主走査方向と交差する副走査方向に移動可能な読み取り手段と、
前記読み取り手段を移動させるモーターと、
前記読み取り手段の移動領域を平面視して前記移動領域の外側に配置された、前記記録機構部に対して回動可能に連結される第１の連結部および第２の連結部と、を備え、
前記モーターが、前記第１の連結部及び前記第２の連結部のいずれかに配置されている、
ことを特徴とする記録装置。
【請求項２】
請求項１に記載の記録装置において、前記第１の連結部及び前記第２の連結部のうち、前記モーターが配置される連結部は、前記回動軸を有するハウジングとして形成され、前記モーターは、前記ハウジングの内部に設けられている、ことを特徴とする記録装置。
【請求項３】
請求項１または請求項２に記載の記録装置において、前記記録手段を備えるキャリッジの少なくとも一部と、前記モーターの少なくとも一部とが、装置高さ方向でオーバーラップする、
ことを特徴とする記録装置。
【請求項４】
請求項１から請求項３のいずれか一項に記載の記録装置において、前記モーターが、前記読み取り機構部の前記回動軸の軸線と交わる位置に配置されている、
ことを特徴とする記録装置。
【請求項５】
請求項１に記載の記録装置において、前記読み取り手段の位置を検出する検出器を備え、
前記検出器からの配線と前記モーターからの配線が接続される中継基板を備え、前記中継基板が、前記第１の連結部及び前記第２の連結部のうち、前記モーターが配置される方に配置されている、ことを特徴とする記録装置。
【請求項６】
請求項１から請求項５のいずれか一項に記載の記録装置において、前記装置本体は、被記録媒体をセットするセット口を上部に備え、
前記第１の連結部及び前記第２の連結部は、前記セット口を避けて配置されている、
ことを特徴とする記録装置。
【請求項７】
請求項６に記載の記録装置において、前記セット口は、前記移動領域に対し、前記主走査方向における外側に配置され、
前記第１の連結部及び前記第２の連結部は、前記副走査方向において前記セット口を挟む様に配置され、
前記移動領域を平面視して、前記移動領域、前記第１の連結部、前記第２の連結部、前記セット口、のこれらによって方形の筐体輪郭が構成される、
ことを特徴とする記録装置。
【請求項８】
請求項１から請求項７のいずれか一項に記載の記録装置において、前記読み取り機構部は、前記モーターによって駆動される駆動プーリーと、従動回転可能な従動プーリーとの間に係回され、前記読み取り手段を牽引する無端ベルトと、
前記読み取り手段を前記副走査方向に案内するガイド部と、を備え、
前記従動プーリーが、前記ガイド部の一方側端部付近と他方側端部付近とに配置される、
ことを特徴とする記録装置。
【請求項９】
請求項１から請求項８のいずれか一項に記載の記録装置において、前記記録機構部と前記読み取り機構部とを電気的に接続するケーブルを備え、
前記ケーブルは、前記モーターが設けられる前記第１の連結部及び前記第２の連結部の少なくともいずれかから延出して前記装置本体の内部に入り、
前記装置本体の内部において前記ケーブルが接続される基板は、前記モーターが設けられる前記第１の連結部或いは前記第２の連結部に近い側の側面に配置されている、
ことを特徴とする記録装置。
【請求項１０】
原稿を読み取る載置面を有する読み取り機構部と、
前記読み取り機構部に対して回動可能に連結され、回動することにより前記載置面の上部を開閉する開閉体と、を備え、
前記読み取り機構部は、主走査方向に延設されるとともに、前記主走査方向と交差する副走査方向に移動可能な読み取り手段と、
前記読み取り手段を移動させるモーターと、
前記読み取り手段の移動領域を平面視して前記移動領域の外側に配置され、前記開閉体が回動可能に連結される第１の連結部および第２の連結部と、を備え、
前記モーターが、前記第１の連結部及び前記第２の連結部のいずれかに配置されている、
ことを特徴とする読取装置。
【手続補正２】
【補正対象書類名】明細書
【補正対象項目名】００２６
【補正方法】変更
【補正の内容】
【００２６】
＜プリンターの全体構成について＞
以下、プリンター１の全体構成について概説する。  
本発明に係るプリンター１（図１）は、装置本体としての記録機構部本体２内に被記録媒体の一例としての用紙にインクジェット記録を行う記録手段（後述する記録ヘッド３０、図５参照）を備えて構成される記録機構部１５と、記録機構部本体２の上部に設けられ、原稿を読み取る読み取り機構部３（図３）を備えている。即ちプリンター１は、インクジェット記録機能に加えてスキャナー機能を備える複合機として構成されている。  
記録が行われる用紙としては、普通紙、コート紙、ＯＨＰ（オーバーヘッドプロジェクター）用シート、光沢紙、光沢フィルム等が用いられる。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
原稿を載置する原稿台及び前記原稿を読み取る読み取り手段を備えた本体部と、
前記原稿台を開閉するカバーと、を備え、
前記カバーは、閉じた状態において前記読み取り手段の移動領域と重なる領域外に、近距離無線通信を行うための近距離無線通信基板を備える、
ことを特徴とする読取装置。
【請求項２】
請求項１に記載の読取装置において、前記カバーは、前記カバーの上面を形成するカバー本体と、
前記カバー本体との間で前記近距離無線通信基板を挟むとともに前記近距離無線通信基板を覆う補助カバーと、を備える、
ことを特徴とする読取装置。
【請求項３】
請求項２に記載の読取装置において、前記補助カバーと前記カバー本体との間であって前記近距離無線通信基板を避けた領域に前記カバーの剛性を高めるための金属プレートを備える、
ことを特徴とする読取装置。
【請求項４】
請求項３に記載の読取装置において、前記カバーは、前記読み取り手段の移動方向と交差する方向の端部に設けられた回動軸を中心に回動することにより前記原稿台を開閉可能に設けられ、
前記カバー本体の自由端側には、前記カバーが閉じた状態において前記読み取り手段の移動領域と重なる領域外に、前記読み取り手段の移動方向に沿って薄肉部が形成され、
前記金属プレート及び前記近距離無線通信基板が、前記薄肉部に配置されている、
ことを特徴とする読取装置。
【請求項５】
請求項２から請求項４のいずれか一項に記載の読取装置において、前記カバー本体と前記補助カバーとの結合部には遊びが設けられている、
ことを特徴とする読取装置。
【請求項６】
被記録媒体に記録を行う記録手段を備える記録機構部と、
前記記録機構部の上部に設けられた、原稿を読み取る読み取り機構部としての、請求項１から請求項５のいずれか一項に記載の前記読取装置と、を備える、
ことを特徴とする記録装置。
【請求項７】
請求項６に記載の記録装置において、前記記録機構部は、装置前面に操作パネルを備え、
前記カバーは、閉じた状態において前記操作パネルの上部に差し掛かる部位を有するとともに、前記近距離無線通信基板が前記操作パネルの上部に配置されている、
ことを特徴とする記録装置。
【請求項８】
原稿を載置する原稿台及び前記原稿を読み取る読み取り手段を備えた本体部と、
前記原稿台を開閉するカバーと、を備え、
前記カバーは、前記カバーの剛性を高めるための金属プレートと、
前記金属プレートの配置領域から外れた領域に設けられた近距離無線通信基板と、を備える、
ことを特徴とする読取装置。
【請求項９】
請求項８に記載の読取装置において、前記近距離無線通信基板は、前記カバーが閉じた状態において前記読み取り手段の移動領域と重なる領域内であって、前記読み取り手段のホームポジションから外れた位置に設けられている、
ことを特徴とする読取装置。
【請求項１０】
被記録媒体に記録を行う記録手段を備える記録機構部と、
前記記録機構部の上部に設けられた、原稿を読み取る読み取り機構部としての、請求項８または請求項９に記載の前記読取装置と、を備える、
ことを特徴とする記録装置。
【請求項１１】
請求項１０に記載の記録装置において、前記記録機構部は、前記記録手段を含む駆動対象を駆動する際の電力を供給する電源部を備え、
前記近距離無線通信基板は、前記カバーが閉じた状態において前記電源部の上方に位置する、
ことを特徴とする記録装置。
【手続補正２】
【補正対象書類名】明細書
【補正対象項目名】発明の名称
【補正方法】変更
【補正の内容】
【発明の名称】読取装置および記録装置
【手続補正３】
【補正対象書類名】明細書
【補正対象項目名】０００１
【補正方法】変更
【補正の内容】
【０００１】
本発明は、原稿を読み取る読取装置および被記録媒体に記録を行う記録装置に関する。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
原料液を使用して飲料を製造する方法であって、
酸処理が施されたホップを前記原料液に添加することを含む、
飲料の製造方法。
【請求項２】
前記酸処理が施された前記ホップの固形成分を含む前記酸処理後の処理液を前記原料液に添加する、
請求項１に記載の飲料の製造方法。
【請求項３】
前記ホップは、生ホップ、プレスホップ、ホップパウダー、及びホップペレットからなる群より選択される１以上であり、
前記酸処理が施されたホップを含みｐＨが４．６以下である前記酸処理後の処理液を前記原料液に添加する、
請求項１又は２に記載の飲料の製造方法。
【請求項４】
前記酸処理が施されたホップを、加熱後の冷却を経て調製された前記原料液に添加する、
請求項１乃至３のいずれかに記載の飲料の製造方法。
【請求項５】
前記酸処理は、酸性の溶液とホップとを混合する処理である、
請求項１乃至４のいずれかに記載の飲料の製造方法。
【請求項６】
前記酸性の溶液のｐＨは２．９以下である、
請求項５に記載の飲料の製造方法。
【請求項７】
前記原料液に酵母を添加してアルコール発酵を行うことをさらに含む、
請求項１乃至６のいずれかに記載の飲料の製造方法。
【請求項８】
前記酸処理が施されたホップを、前記アルコール発酵の終了時までに添加する、
請求項７に記載の飲料の製造方法。
【請求項９】
前記酸処理が施されたホップを含みｐＨが４．６以下である前記酸処理後の処理液を、前記アルコール発酵の終了時までに添加する、
請求項８に記載の飲料の製造方法。
【請求項１０】
前記アルコール発酵後に熟成を行うことをさらに含み、
前記酸処理が施されたホップを、前記熟成の開始前までに添加する、
請求項７に記載の飲料の製造方法。
【請求項１１】
前記酸処理が施されたホップを含みｐＨが４．６以下である前記酸処理後の処理液を、前記熟成の開始前までに添加する、
請求項１０に記載の飲料の製造方法。
【請求項１２】
前記飲料は、ビールテイスト飲料である、
請求項１乃至１１のいずれかに記載の飲料の製造方法。
【請求項１３】
前記酸処理が施されたホップを前記原料液に添加した後に熱殺菌を行わない、
請求項１乃至１２のいずれかに記載の飲料の製造方法。
【請求項１４】
原料液を使用して製造される飲料の香味を向上させる方法であって、
酸処理が施されたホップを前記原料液に添加することにより、前記飲料の香味を向上させる、
飲料の香味向上方法。
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
対象物を観察するための撮像部と、
前記対象物の観察位置を変更するために前記撮像部を移動させる移動機構と、
前記移動機構に高速で前記撮像部を移動させながら前記撮像部に撮影させる第１のモードと、前記移動機構に前記第１のモードよりも低速で前記撮像部を移動させながら前記第１のモードよりも高精細の画像を前記撮像部に撮影させる第２のモードとを切り換えて、前記移動機構及び前記撮像部の動作を制御する制御部と
を備える観察装置。
【請求項２】
前記撮像部は、複数の画素を含み画像信号を出力する撮像素子を有し、
前記撮像部は、前記第１のモードでは前記第２のモードより少ない画素で前記画像信号を出力する、
請求項１に記載の観察装置。
【請求項３】
前記制御部は、前記第１のモードの場合において、前記撮像部に、撮像素子の感度を前記第２のモードの場合よりも向上させる、請求項１又は２に記載の観察装置。
【請求項４】
前記制御部は、
前記第１のモードでは、前記撮像部の合焦位置を変化させず、
前記第２のモードでは、前記撮像部の合焦位置を変化させる又は変化させない、
請求項１乃至３のいずれかに記載の観察装置。
【請求項５】
前記制御部は、前記第１のモードの場合において、前記撮像部に、撮像光学系の焦点距離を前記第２のモードの場合よりも短くさせる、請求項１乃至４のいずれかに記載の観察装置。
【請求項６】
前記制御部は、前記第１のモードの場合において、前記撮像部に、撮像光学系の絞りを前記第２のモードの場合よりも絞らせる、請求項１乃至５のいずれかに記載の観察装置。
【請求項７】
前記撮像部は、特性が異なる２つの撮像素子を有している、請求項１乃至６のいずれかに記載の観察装置。
【請求項８】
前記制御部は、前記第１のモードによる撮影結果に基づいて決定された前記第２のモードに係る前記移動機構及び前記撮像部の動作手順に基づいて、前記移動機構及び前記撮像部の動作を制御する、請求項１乃至７のいずれかに記載の観察装置。
【請求項９】
請求項１乃至８のいずれかに記載の観察装置であって、通信装置をさらに具備する観察装置と、
前記通信装置を介して前記観察装置と通信をし、前記観察装置の動作を制御するコントローラと
を備える測定システム。
【請求項１０】
撮像部で対象物を撮像する撮像ステップと、
前記対象物の観察位置を変更するために前記撮像部を移動させる移動ステップと、
前記撮像部を高速で移動させながら連続撮影させる第１のモードと、前記第１のモードよりも低速で前記撮像部を移動させながら前記第１のモードよりも高精細の画像を前記撮像部に連続撮影させる第２のモードとを切り換えて、前記撮像部の動作を制御するステップと
を備える観察方法。
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
肌面と接触して電流を供給する肌刺激体（３）と、肌面に光を照射する光源（２６）が設けてある美容器具であって、
肌刺激体（３）に開口した窓開口（３５）と光源（２６）の間に、光源（２６）から照射された光を窓開口（３５）の外へ導く導光体（２７）が配置されており、
窓開口（３５）を介して肌刺激体（３）の内部と外部を連通する肌刺激体（３）と導光体（２７）の間の隙間が、肌刺激体（３）と導光体（２７）の間に配置した第１シール体（５２）で水密状に封止してあることを特徴とする美容器具。
【請求項２】
導光体（２７）の窓開口（３５）側の端部に、窓開口（３５）の内面に入り込む照射部（４６）が突設されて、その突端に光源（２６）から照射された光を肌面へ向かって照射する照射面（４８）が設けられており、
照射部（４６）の突出基端の周囲に、リング状の第１シール体（５２）を挟持するシール座（５１）が形成されており、
シール座（５１）と肌刺激体（３）の内面で挟持した第１シール体（５２）を、照射部（４６）の周面で受止めて、第１シール体（５２）のずれ移動を規制している請求項１に記載の美容器具。
【請求項３】
照射面（４８）が窓開口（３５）の厚み範囲内に位置させてある請求項１、または２に記載の美容器具。
【請求項４】
照射面（４８）の周縁と肌刺激体（３）の刺激面（３ａ）が面一になる状態で、導光体（２７）が固定してある請求項３に記載の美容器具。
【請求項５】
本体ケース（１）に肌刺激体（３）を支持するヘッドケース（１６）が突設されて、ヘッドケース（１６）の突端に肌刺激体（３）が配置されており、
肌刺激体（３）と導光体（２７）の間に配置した第１シール体（５２）が、本体ケース（１）に固定した導光体（２７）で肌刺激体（３）に押付けられて、肌刺激体（３）と導光体（２７）の間の隙間を封止している請求項２から４のいずれかひとつに記載の美容器具。
【請求項６】
肌刺激体（３）が、ヘッドケース（１６）の突端に設けた前開口（１９）から突出されて、肌刺激体（３）に設けた装着壁（３４）と前開口（１９）の内面の段部（２０）の間に第２シール体（３６）が配置されており、
導光体（２７）を本体ケース（１）に固定した状態において、肌刺激体（３）の装着壁（３４）および第２シール体（３６）が段部（２０）に向かって押付け固定される請求項５に記載の美容器具。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
予め取得されたノイズデータを走査線ごとに記憶する記憶部と、
逐次取得されるラスターデータから当該ラスターデータの走査線に対応する前記ノイズデータを減算する処理を複数フレームに亘って行う演算部と、
を有する超音波診断装置。
【請求項２】
前記演算部は、前記ノイズデータに、それぞれ異なるランダムノイズデータを付加し、そして、前記ラスターデータから前記ランダムノイズデータが付加された前記ノイズデータを減算する、請求項１に記載の超音波診断装置。
【請求項３】
前記記憶部は、所定の条件が変更されたとき、前記ノイズデータを新たに記憶し、
前記演算部は、前記ラスターデータから新たな前記ノイズデータを減算する、
請求項１又は２に記載の超音波診断装置。
【請求項４】
前記所定の条件は、デシメーションレート、ゲイン、超音波プローブ、若しくは受信中心周波数、又はこれらのうち２つ以上である、請求項３に記載の超音波診断装置。
【請求項５】
前記記憶部は、前記ラスターデータの合成数に対応した数の前記ノイズデータの加算データを記憶し、
前記演算部は、前記合成数分の前記ラスターデータから前記加算データを減算する、
請求項１〜４のいずれか１つに記載の超音波診断装置。
【請求項６】
超音波診断装置において、
走査線ごとにノイズデータを取得し、
前記ノイズデータを記憶し、
逐次取得されるラスターデータから当該ラスターデータの走査線に対応する前記ノイズデータを減算する処理を複数フレームに亘って行う、
医用画像処理方法。
【手続補正２】
【補正対象書類名】明細書
【補正対象項目名】発明の名称
【補正方法】変更
【補正の内容】
【発明の名称】超音波診断装置及び医用画像処理方法
【手続補正３】
【補正対象書類名】明細書
【補正対象項目名】０００１
【補正方法】変更
【補正の内容】
【０００１】
本発明の実施形態は、超音波診断装置及び医用画像処理方法に関する。
【手続補正４】
【補正対象書類名】明細書
【補正対象項目名】０００６
【補正方法】変更
【補正の内容】
【０００６】
本発明が解決しようとする課題は、ノイズを低減しつつフレームレートを向上させることができる超音波診断装置及び医用画像処理方法を提供することである。
【手続補正５】
【補正対象書類名】明細書
【補正対象項目名】０００７
【補正方法】変更
【補正の内容】
【０００７】
実施形態の超音波診断装置は、記憶部と、演算部とを有する。記憶部は、予め取得されたノイズデータを走査線ごとに記憶する。演算部は、逐次取得されるラスターデータから当該ラスターデータの走査線に対応するノイズデータを減算する処理を複数フレームに亘って行う。
【手続補正６】
【補正対象書類名】明細書
【補正対象項目名】０００９
【補正方法】変更
【補正の内容】
【０００９】
以下、実施形態に係る超音波診断装置及び医用画像処理方法について図面を参照しながら説明する。
【手続補正７】
【補正対象書類名】明細書
【補正対象項目名】００６４
【補正方法】変更
【補正の内容】
【００６４】
以上述べた少なくともひとつの実施形態及び変形例の超音波診断装置及び医用画像処理方法によれば、ノイズデータ取得処理以降、取得したノイズデータを対応する走査線ごとに共通して使用することにより、ノイズを低減しつつフレームレートを向上させることができる。